(57)【要約】      （修正有）【課題】マスク本体の端部の強張りがなく装着感が良い立体マスクを提供する。【解決手段】左右一対のシート１００Ａ、１００Ｂを位置合わせし、圧着してなる立体マスクであって、着用者の口許や鼻腔を被覆することができ左右一対のシート１００Ａ、１００Ｂの一端部の圧着により形成される第１接合部１０１と左右一対のシート１００Ａ、１００Ｂの他端部の圧着により形成される第２接合部１０２とを有してなるマスク本体１と、マスク本体１の端部の第２接合部１０２に連設された延在部２と延在部２に接合してなる耳掛け部材３とを備える。第１接合部１０１はマスク本体１の外側に向かって弧状の弧状部分１０１０を有し、マスク本体１は第１接合部１０１を境にして対称に形成されてなる。【選択図】図１
0003159977.tif 000002
【実用新案登録請求の範囲】
【請求項１】
左右一対のシ−トを位置合わせし、圧着してなる立体マスクであって、着用者の口許や鼻腔を被覆することができ当該シ−トの一端部の圧着により形成される第１接合部と当該シ−トの他端部の圧着により形成される第２接合部とを有してなるマスク本体と、当該マスク本体の端部の当該第２接合部に連設された延在部と、当該延在部に接合してなる耳掛け部材とを備えてなり、前記の第１接合部は、着用者の口許や鼻腔を当該口許や鼻腔の周辺に空間を残して被覆することができるように当該マスク本体の外側に向かって弧状の弧状部分を有し、当該マスク本体は、当該第１接合部を境にして対称に形成されてなることを特徴とする立体マスク。
【請求項２】
延在部が、Ｂ字形に形成されてなることを特徴とする、請求項１に記載の立体マスク。
【請求項３】
左右一対のシ−トが、それぞれ表布と中布と裏布からなることを特徴とする、請求項１又は２に記載の立体マスク。
【請求項４】
耳掛け部材は、延在部の上下端部に接合し、ゴム製の耳掛け紐よりなることを特徴とする、請求項１、２又は３に記載の立体マスク。
【考案の詳細な説明】
【技術分野】
【０００１】
本考案は、立体マスク、特に、マスク本体がカップ状に形成されるようにした立体マスク就中衛生マスクに関するものである。
【背景技術】
【０００２】
マスクは、口、鼻等を覆って、医療分野等の広範囲の分野で使用され、インフルエンザ対策などに有効である。
当該マスクにあっては、従来より、２枚のシ−トを重ね、位置合わせし、圧着してマスク本体がカップ状に形成されるようにした立体マスクが提案されており、又、当該立体マスクについては、各種の改良が施された立体マスクが提案されている（例えば、登録実用新案３０６３１２１号、特開平９−１４９９４５号公報、特開２００６−４３２２７号公報）。
上記登録実用新案３０６３１２１号では、２枚のシ−トを重ね、位置合わせし、圧着してマスク本体がカップ状に形成されるようにした立体マスクにおいて、当該マスク本体を低収縮性シ−トとし、一方、耳掛け部は高収縮性シ−トとした即ちマスク本体と耳掛け部とを異なった材質とした立体マスクが提案されており、又、特開２００６−４３２２７号公報では、当該立体マスクにおいて、耳掛紐を長手方向に伸縮自在な平編の編紐から形成された立体マスクが提案されている。
当該立体マスクは、マスク本体がカップ状に形成されているので、着用者の口許や鼻腔の周辺に空間を残して被覆することができ、息がし易いなどの利点があるが、左右２枚のシ−トを重ね、位置合わせし、一端部で圧着して、マスク本体の中央部にマスク本体がカップ状に形成され得るようにした接合部を作成し、又、他端部も圧着して帯状部を形成し、当該帯状部に、直接、耳掛紐を取り付けているので、当該耳掛紐を伸張させて耳に掛けると、当該マスク本体の端部が強張り、マスクの装着感を悪くし、マスクの端部に隙間ができてしまうことがある。
又、当該立体マスクでは、マスク本体を構成する左右２枚のシ−トの各々を複数枚の布例えば表布と中布と裏布とからなる３枚の布で構成する場合があるが、当該複数枚の布で厚みをもって構成し、当該立体マスクの端部に、直接、耳掛紐を取り付ける態様では、一層、当該マスク本体の端部が強張り、マスクの装着感を悪くし、マスクの端部に隙間ができてしまうことがある。
【先行技術文献】
【特許文献】
【０００３】
【特許文献１】、登録実用新案３０６３１２１号、特開平９−１４９９４５号公報、特開２００６−４３２２７号公報
【考案の開示】
【考案が解決しようとする課題】
【０００４】
本考案は、上記の従来技術の欠点を解消した立体マスクを提供することを目的としたものである。
本考案の他の目的および新規な特徴は以下の明細書及び図面の記載からも明らかになるであろう。
【課題を解決するための手段】
【０００５】
本考案の実用新案登録請求の範囲は、次の通りである。
（請求項１）    左右一対のシ−トを位置合わせし、圧着してなる立体マスクであって、着用者の口許や鼻腔を被覆することができ当該シ−トの一端部の圧着により形成される第１接合部と当該シ−トの他端部の圧着により形成される第２接合部とを有してなるマスク本体と、当該マスク本体の端部の当該第２接合部に連設された延在部と、当該延在部に接合してなる耳掛け部材とを備えてなり、前記の第１接合部は、着用者の口許や鼻腔を当該口許や鼻腔の周辺に空間を残して被覆することができるように当該マスク本体の外側に向かって弧状の弧状部分を有し、当該マスク本体は、当該第１接合部を境にして対称に形成されてなることを特徴とする立体マスク。
（請求項２）  延在部が、Ｂ字形に形成されてなることを特徴とする、請求項１に記載の立体マスク。
（請求項３）    左右一対のシ−トが、それぞれ表布と中布と裏布からなることを特徴とする、請求項１又は２に記載の立体マスク。
（請求項４）  耳掛け部材は、延在部の上下端部に接合し、ゴム製の耳掛け紐よりなることを特徴とする、請求項１、２又は３に記載の立体マスク。
【考案の効果】
【０００６】
本願において開示される考案のうち代表的なものによって得られる効果を簡単に説明すれば、下記のとおりである。
すなわち、従来例の立体マスクは、マスク本体がカップ状に形成されているので、着用者の口許や鼻腔の周辺に空間を残して被覆することができ、息がし易いなどの利点があるが、左右２枚のシ−トを重ね、位置合わせし、一端部で圧着して、マスク本体の中央部にマスク本体がカップ状に形成され得るようにした接合部を作成し、又、他端部も圧着して帯状部を形成し、当該帯状部やマスク本体に、直接、耳掛紐を取り付けているので、当該耳掛紐を伸張させて耳に掛けると、当該マスク本体の端部が強張り、マスクの装着感を悪くし、マスクの端部に隙間ができてしまうことがある。
これに対して、本考案によれば、その立体マスクは、当該帯状部やマスク本体に、直接、耳掛紐を取り付けずに、マスク本体の端部の第２接合部から延在して延在部が延設されているので、その強張りが緩和され、装着感が良くなり、マスク本体の左右各端部と使用者の頬との間の隙間を無くして装着感を良くすることができる。
又、当該立体マスクでは、マスク本体を構成する左右２枚のシ−トの各々に、複数の枚数の布例えば前記のように表布と中布と裏布からなる３枚の布で構成する場合、当該複数の枚数の布で厚みをもって構成した当該立体マスク１の端部に、直接、耳掛紐を取り付ける態様では、一層、当該マスク本体の端部が強張り、マスクの装着感を悪くし、マスクの端部に隙間ができてしまうことがあるが、本考案では、マスク本体の端部の第２接合部には、当該第２接合部から延在して延在部が延設されているので、その強張りが緩和され、装着感が良くなり、マスク本体の左右各端部と使用者の頬との間の隙間を無くして装着感を良くすることができる。
更には、当該延在部を設けるので、当該マスク本体の必要面積を低減させ、特に、複数の枚数の不織布、織布例えば前記のように表布と中布と裏布からなる３枚の布で構成する場合には、当該マスク本体のコストを低減できる。
【０００７】
次に、本考案の実施例を図面を参照しつつ説明する。
【実施例】
【０００８】
本考案の立体マスクＭを構成するマスク本体１を形成するに際して、図３に示すように、左右一対のシ−ト１００Ａ，１００Ｂを準備する。
当該左右一対のシ−ト１００Ａ，１００Ｂは、図示のように、対称形に構成され、当該左右シ−ト１００Ａ，１００Ｂの内側端縁は、その上部が斜めラインに構成され、その下部は、弧状ラインに構成されている。
当該左右一対のシ−ト１００Ａ，１００Ｂの外側端縁は、図３に示すように、上下に直線状のラインに構成されている。
当該立体マスクＭの構成に際して、当該左右シ−ト１００Ａ，１００Ｂの内側及び外側を重ね、位置合わせして、図２に示すように、その内側同士を圧着して、当該シ−トの一端部の圧着により形成される第１接合部１０１を形成し、又、その外側同士を圧着して、当該シ−トの他端部の圧着により形成される第２接合部１０２を形成する。
当該マスク本体１により、立体マスクＭの着用に際して、着用者の鼻、口、顎等の必要箇所を覆うことができる。
当該マスク本体１は、例えば、合成樹脂製不織布、織布により構成される。当該不織布としては、例えば、メルトブロ−ン不織布、スパンボンド不織布、エアスル−法によるサ−マルボンド不織布、スパンレ−ス不織布などの種々の不織布を用いることができ、これら種々の不織布を適宜組み合わせて、マスク本体に所望の機能を付与することができる。マスク本体１が当接する口元等の顔の部分等に応じて、厚みの異なる不織布やフイルタ−機能に優れた不織布や通気性に優れた不織布など異なった不織布構成とするとよい。
マスク本体１を構成する不織布や織布は、図５に示すように、複数の不織布、織布例えば表布１０３と中布１０４と裏布１０５との３層構造からなっていることが好ましい。
当該表布１０３としては、例えば、防縮加工と防しわ加工が施された織布が挙げられ、当該中布１０４としては例えば、熱可塑性の合成繊維を高密度に積層し、かつ低伸縮性を備えた不織布が挙げられ、又、当該裏布１０５としては、ガ−ゼが挙げられる。
【０００９】
図４に示すように、当該マスク本体１の帯状の第２接合部１０２に、延在部２を連設する。当該延在部２は、図示のように、Ｂ字形に形成されてなることが好ましい。
マスク本体の内側に向かって凹部を有するＢ字形に構成することが好ましい。
当該延在部２は、薄手の１枚の合成樹脂製不織布、織布により構成されていることが好ましい。当該延在部２は、前記マスク本体１の帯状の第２接合部１０２の形成に際して、３枚の表布１０３と中布１０４と裏布１０５との圧着と同時に、当該延在部２の端部も圧着して、マスク本体１の帯状の第２接合部１０２に連設することができる。
【００１０】
図２に示すように、当該延在部２の上下端部に、耳掛け部材３を接合して、図２に示すような側面を有する立体マスクＭを形成する。
当該耳掛け部材３は、ゴム製の耳掛け紐よりなることが好ましい。
当該耳掛け部材３は、耳に掛けれるように、環状の穴を備えてなる。
【００１１】
図２に示す側面を有する立体マスクＭを、前記の第１接合部１０１を境にして展開すると、図１に示すような当該第１接合部１０１を境にして対称に形成されてなり、マスク本体１の外側に向かって弧状の弧状部分１０１０を有する第１接合部１０１を備えた立体マスクＭとなる。
当該マスク本体１の外側に向かって弧状の弧状部分１０１０を有する当該第１接合部１０１は、着用者の口許や鼻腔を当該口許や鼻腔の周辺に空間を残して被覆することができる。
【００１２】
当該第１接合部１０１や第２接合部１０２は、ヒ−トシ−ルによる熱融着が、作業性や圧着の際の押さえ効果などから好ましいが、縫製、接着剤を用いた接着でもよい。
当該第１接合部１０１や第２接合部１０２は、連続でも不連続でもよい。
【００１３】
マスク本体１の延在部２の上下端部に耳掛け部材３を接合して立体マスクＭを形成するのに、当該第１接合部１０１や第２接合部１０２と同様にヒ−トシ−ルによる熱融着が、作業性や３枚構成の不織布、織布１０３，１０４及び１０５の押さえ効果などから好ましいが、縫製、接着剤を用いた接着でもよい。
【００１４】
図６に示すように、立体マスクＭは、マスク本体１の中央部に当該マスク本体１がカップ状に形成され得るようにした第１接合部１０１を有し、当該第１接合部１０１は、マスク本体１の外側に向かって弧状の弧状部分１０１０を有るので、着用者の口許や鼻腔を当該口許や鼻腔の周辺に空間を残して被覆することができる。
図７は、立体マスクＭをその耳掛け部材を用いて耳に掛け装着してなる当該装着例の一例で、又、図８は、同側面から見た立体マスクＭの装着の様子を示してある。
当該マスク本体１は立体形状になり、立体マスクＭの内面が直接鼻孔や口に密着せずに呼吸がし易い等の利点がある。
本考案の立体マスクＭを、図７及び図８に示すように、耳掛け部材３を用いて耳に掛け装着するとき、耳掛け部材３が取り付けられたマスク端部は、当該耳掛け部材３により引っ張られるので、通常の場合は、強張り、装着感を悪くするが、本考案では、マスク本体１の端部の第２接合部１０２には、当該第２接合部１０２から延在して延在部２が延設されているので、その強張りが緩和され、装着感が良くなり、マスク本体１の左右各端部と使用者の頬との間の隙間を無くして装着感を良くすることができる。
又、当該立体マスクＭでは、マスク本体１を構成する左右２枚のシ−ト１００Ａ及び１００Ｂの各々に、複数の枚数の布例えば前記のように表布１０３と中布１０４と裏布１０５からなる３枚の布で厚みをもって構成する場合、当該複数の枚数の布で構成した当該立体マスク１の端部に、直接、耳掛紐３を取り付ける態様では、一層、当該マスク本体１の端部が強張り、マスクの装着感を悪くし、マスクの端部に隙間ができてしまうことがあるが、本考案では、マスク本体１の端部の第２接合部１０２には、当該第２接合部１０２から延在して延在部２が延設されているので、その強張りが緩和され、装着感が良くなり、マスク本体１の左右各端部と使用者の頬との間の隙間を無くして装着感を良くすることができる。
更には、延在部２を設けるので、当該マスク本体１の必要面積を低減させ、特に、複数の枚数の不織布、織布例えば前記のように表布１０３と中布１０４と裏布１０５からなる３枚の布で構成する場合には、当該マスク本体１のコストを低減できる。
【００１５】
本考案の立体マスクＭにあっては、当該マスク本体１の上端部には、その図示が省略されているが、ノ−ズワイヤを包蔵させて、当該ノ−ズワイヤにより、マスクの着用に際して、マスク本体１の上部を鼻にフイットさせ、鼻とマスクとの間に隙間が生じないようにすることができる。
当該ノ−ズワイヤは、金属や合成樹脂などにより構成され、針金、板状などの各種形態に構成される。可撓性や屈曲性などの機能を有し、その可撓性や屈曲性などの機能により、マスクを鼻にフイットさせ、鼻とマスクとの間に隙間が生じないようにすることができる。
又、弾性部材を包蔵させて、立体マスクの立体形状を保持し、マスクと口などとの間に適当な間隙・空間を保持することができる。
【００１６】
本考案は上記実施例に限定されず、適宜変更が可能である。
【産業上の利用可能性】
【００１７】
本考案のマスクは、衛生マスクの他各種のマスクとして使用できる。
【図面の簡単な説明】
【００１８】
【図１】本考案の実施例を示す立体マスクの全体構成図である。
【図２】本考案の実施例を示す立体マスクの側面図である。
【図３】本考案の実施例を示す立体マスクのマスク本体の組立説明図である。
【図４】本考案の実施例を示す立体マスクの耳掛け部材接合前の説明図である。
【図５】本考案の実施例を示す立体マスクのマスク本体の一部断面図である。
【図６】本考案の実施例を示す立体マスクの平面図である。
【図７】本考案の実施例を示す立体マスクの装着例説明図である。
【図８】本考案の他の実施例を示す立体マスクの装着例説明図である。
【符号の説明】
【００１９】
１…マスク本体
２…延在部
３…耳掛け部材
１００Ａ…シ−ト
１００Ｂ…シ−ト
１０１…第１接合部
１０２…第２接合部
１０１０…弧状部
Ｍ…立体マスク
【図１】
0003159977.tif 000003
【図２】
0003159977.tif 000004
【図３】
0003159977.tif 000005
【図４】
0003159977.tif 000006
【図５】
0003159977.tif 000007
【図６】
0003159977.tif 000008
【図７】
0003159977.tif 000009
【図８】
0003159977.tif 000010